(57)【要約】      （修正有）【課題】コストを抑えつつもより高い耐風圧強度を備えた建具を提供する。【解決手段】建物に取付けられて開口を形成する枠体により支持された複数の障子と、前記複数の障子を左右向にスライド可能に各々支持する複数のレール４ａ、４ｂを備えた横枠と、前記複数のレール４ａ、４ｂのうちの互いに隣り合う２本の前記レール４ａ、４ｂ間に設けられ、前記２本のレール４ａ、４ｂの互いに対向する側への変形を規制する規制部材９と、を有する。【選択図】図４
2019190054.tif 000002
【特許請求の範囲】
【請求項１】
複数の障子と、
前記複数の障子を各々支持する複数のレールを備えた横枠と、
前記複数のレールのうちの互いに隣り合う２本の前記レール間に設けられ、前記２本のレールの互いに対向する側への変形を規制する規制部材と、
を有することを特徴とする建具。
【請求項２】
請求項１に記載の建具であって、
前記規制部材は、前記２本のレールにより各々支持される２つの前記障子の召合せ部と前記横枠との間に設けられていることを特徴とする建具。
【請求項３】
請求項１または請求項２に記載の建具であって、
前記障子は移動する際に前記レールと摺動する摺動部材を有しており、
前記規制部材は、前記２本のレールにより各々支持される２つの前記障子が有する前記摺動部材と前記横枠との間に設けられていることを特徴とする建具。
【請求項４】
請求項１乃至請求項３のいずれかに記載の建具であって、
前記２本のレールにより各々支持される２つの前記障子は、互いに係合し見込み方向において互いに離れる方向への移動を規制する係合部を有していることを特徴とする建具。
【請求項５】
請求項１乃至請求項４のいずれかに記載の建具であって、
前記２本のレールにより各々支持される２つの前記障子と前記横枠との間には空気の流通を防止し可撓性を有する風止め部材が設けられており、
前記規制部材は、前記風止め部材よりも硬質の材料で形成されていることを特徴とする建具。
【発明の詳細な説明】
【技術分野】
【０００１】
本発明は、複数の障子と、障子を各々支持する複数のレールを備えた下枠と、を有する建具に関する。
【背景技術】
【０００２】
複数の障子と、障子を各々支持する複数のレールを備えた下枠と、を有する建具としては、例えば、建物開口部に取付けられる方形状の枠体内に内障子と外障子がそれぞれ引き違い状で開閉自在に納められ、外障子の室外側に網戸が納められているサッシが知られている（例えば、特許文献１参照）。このサッシは、枠体が有する金属下枠の上面に、室内側から順に内障子を支持する内レール、外障子を支持する外レール、網戸を支持する網戸レールが起立状に突出するように形成されている。
【先行技術文献】
【特許文献】
【０００３】
【特許文献１】特開２００８−１１１２９８号公報
【発明の概要】
【発明が解決しようとする課題】
【０００４】
上記のようなサッシなどの建具は、設置される地域の環境等に応じた耐風圧強度を有している。このため、想定を越える風圧力が建具にかかるような地域で使用すると、風圧力により生じる障子の撓みに伴って下枠のレールが変形してしまう虞がある。下枠のレールが変形した場合には、障子の開閉に支障を来す虞がある。このため、レールを備えている枠体の肉厚を厚くして強度を上げることは考えられる。しかしながら、枠体の肉厚を厚くすると、既存の部品が取り付かなくなる、形材の種類が増えることによる形材管理が増える、新たな加工金型が必要になる等によりコスト高騰の虞がある。
【０００５】
本発明は、かかる課題に鑑みてなされたものであり、その目的とするところは、コストを抑えつつもより高い耐風圧強度を備えた建具を提供することにある。
【課題を解決するための手段】
【０００６】
かかる目的を達成するために本発明の建具は、複数の障子と、前記複数の障子を各々支持する複数のレールを備えた横枠と、前記複数のレールのうちの互いに隣り合う２本の前記レール間に設けられ、前記２本のレールの互いに対向する側への変形を規制する規制部材と、を有することを特徴とする建具である。
【０００７】
このような建具によれば、互いに隣り合う２本のレール間に当該２本のレールの互いに対向する側への変形を規制する規制部材が設けられているので、２本のレールにより支持される各々の障子に風圧力が作用して撓みが生じる場合であっても、いずれか一方のレールの変形が規制部材を介して他方のレールにより規制されるので、レールの変形が抑制される。このとき、規制部材は、２本のレール間に設けられる部材なので、例えば、枠体全体の肉厚を厚くすることにより横枠の種類が増える場合などよりも安価である。このため、コストを抑えつつもより高い耐風圧強度を備えた建具を提供することが可能である。
【０００８】
かかる建具であって、前記規制部材は、前記２本のレールにより各々支持される２つの前記障子の召合せ部と前記横枠との間に設けられていることを特徴とする。
このような建具によれば、規制部材は、各障子において最も撓みやすい召合せ部と横枠との間に設けられているので、召合せ部にてレールの変形を抑制することにより効率良くレールの変形を抑制することが可能である。
【０００９】
かかる建具であって、前記障子は移動する際に前記レールと摺動する摺動部材を有しており、前記規制部材は、前記２本のレールにより各々支持される２つの前記障子が有する前記摺動部材と前記横枠との間に設けられていることを特徴とする。
このような建具によれば、規制部材は、各障子に撓みが生じた際にレールに接触する摺動部材と横枠との間に設けられているので、外力が作用する部位の変形を規制して、より効率良くレールの変形を抑制することが可能である。
【００１０】
かかる建具であって、前記２本のレールにより各々支持される２つの前記障子は、互いに係合し見込み方向において互いに離れる方向への移動を規制する係合部を有していることを特徴とする。
このような建具によれば、２本のレールにより各々支持される２つの障子は、係合部が係合して互いに離れる方向への移動が規制されているので、２つの障子のうちの一方の障子の撓みを他方の障子が規制することにより２つの障子の撓みが抑制される。このため、レールに作用する力を軽減してレールの変形をより抑制することが可能である。
【００１１】
かかる建具であって、前記２本のレールにより各々支持される２つの前記障子と前記横枠との間には空気の流通を防止し可撓性を有する風止め部材が設けられており、前記規制部材は、前記風止め部材よりも硬質の材料で形成されていることを特徴とする。
このような建具によれば、２つの障子と横枠との間には風止め部材と風止め部材よりも硬質の材料で形成されている規制部材とが設けられているので、可撓性を有する風止め部材により空気の流通を防ぎ、風止め部材より硬質な規制部材により高い耐風圧強度を備えることが可能である。
【発明の効果】
【００１２】
本発明によれば、コストを抑えつつもより高い耐風圧強度を備えた建具を提供することが可能である。
【図面の簡単な説明】
【００１３】
【図１】本実施形態に係る建具を示す内観図である。
【図２】本実施形態に係る建具を示す縦断面図である。
【図３】本実施形態に係る建具を示す横断面図である。
【図４】建具の下部を示す縦断面図である。
【図５】図５（ａ）は、召合せ框と風止め部材及び規制部材との位置関係を示す図であり、図５（ｂ）は、摺動部材と風止め部材及び規制部材との位置関係を示す図である。
【図６】規制部材の取り付け方法を示す図である。
【発明を実施するための形態】
【００１４】
以下、本発明の一実施形態に係る建具について図面を参照して説明する。
本実施形態の建具として、例えば、図１に示すように、内障子２、外障子３を備えた引き違い窓用の建具１を例に挙げて説明する。
【００１５】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１６】
図１〜３に示すように、建具１は、建物に取り付けられて開口を形成する枠体４と、枠体４により支持されて左右方向にスライド移動可能な内障子２、外障子３及び網戸５と、を有している。図１においては網戸５を省略して示している。
【００１７】
内障子２及び外障子３は、矩形状の複層ガラス６と、複層ガラス６の周縁部を収容し矩形状に框組みされた框体２０、３０と、を有している。框体２０、３０は、複層ガラス６の上下に位置する上框２１、３１及び下框２２、３２と、左右に位置する戸先框２３、３３及び召合せ框２４、３４と、を有している。上框２１、３１は、左右方向に間隔を空けて配置される戸先框２３、３３と召合せ框２４、３４との上端部間に介在されて接合され、下框２２、３２は戸先框２３、３３と召合せ框２４、３４との下端部間に介在されて接合されている。
【００１８】
下框２２、３２の左右方向における両端部側には、戸車２ａ、３ａが設けられており、戸先框２３、３３と召合せ框２４、３４の下端部には、図４に示すように、枠体４に設けられた内レール４ａ及び外レール４ｂと摺動する摺動部材２ｂ、３ｂが設けられている。内障子２及び外障子３は、戸車２ａ、３ａが内レール４ａ及び外レール４ｂに支持された状態で、摺動部材２ｂ、３ｂが内レール４ａ及び外レール４ｂに規制されつつ移動する。
【００１９】
内障子２の召合せ框２４には、図３に示すように、室外側に突出し、先端が内障子２の戸先側に延出された内障子延出片２４ａが設けられており、外障子３の召合せ框３４には、室内側に突出し、先端が外障子３の戸先側に延出された外障子延出片３４ａが設けられている。内障子２と外障子３を閉じたときには、内障子延出片２４ａが、外障子３の召合せ框３４の室内側面３４ｂと外障子延出片３４ａとの間に入り込んで係合する。ここで、内障子延出片２４ａ及び外障子延出片３４ａが係合部に相当する。
【００２０】
網戸５は、網材５ａと、網材５ａの周縁部を全周に亘って保持し矩形状に框組みされた網戸框体５０と、を有している。網戸框体５０は、上下に位置する上網戸框５１及び下網戸框５２と、左右に位置する縦網戸框５３と、を有している。上網戸框５１は、左右方向に間隔を空けて配置される縦網戸框５３の上端部間に介在されて接合され、下網戸框５２は左右の縦網戸框５３の下端部間に介在されて接合されている。
【００２１】
下網戸框５２の左右方向における両端部側にも、戸車５２ａが設けられており、縦網戸框５３の下端部には、枠体４に設けられた網戸レール４ｃと摺動する摺動部材５２ｂが設けられている。網戸５は、戸車５２ａが網戸レール４ｃに支持された状態で、摺動部材５２ｂが網戸レール４ｃに規制されつつ網戸レール４ｃ上を移動する。
【００２２】
枠体４は、図１に示すように、横枠としての上枠４１及び下枠４２と、左右に位置する一対の縦枠４３と、を有している。上枠４１は、左右方向に間隔を空けて配置される２本の縦枠４３の上端部間に介在されて接合され、下枠４２は２本の縦枠４３の下端部間に介在されて接合されている。上枠４１、下枠４２、及び、２本の縦枠４３は、いずれもアルミニウム製の押出成形材である。
【００２３】
下枠４２には、図４に示すように、内障子２、外障子３および網戸５が各々支持されると共に案内される３本のレール４ａ、４ｂ、４ｃが長手方向に沿って設けられている。３本のレール４ａ、４ｂ、４ｃは、室内側から室外側に向かって、内障子２が支持されると共に案内される内レール４ａ、外障子３が支持されると共に案内される外レール４ｂ、網戸５が支持されると共に案内される網戸レール４ｃの順で設けられている。
【００２４】
下枠４２は、額縁７に室外側から当接され鉛直面をなす室内壁部４２ａと、室内壁部４２ａから室外側に延出された下枠上面部４２ｂと、下枠上面部４２ｂの室外側の縁から上方に延出された網戸レール４ｃと、室内壁部４２ａと網戸レール４ｃとの間にて見込み方向に間隔を空けて下枠上面部４２ｂから上方に立設された内レール４ａ及び外レール４ｂと、が設けられている。
【００２５】
下枠４２上には、室内壁部４２ａと内レール４ａとの間の下枠上面部４２ｂ上を覆う内カバー部材４４と、内レール４ａと外レール４ｂとの間において閉じた外障子３の室内側の下枠上面部４２ｂ上を覆う外カバー部材４５と、図５に示すように、内障子２及び外障子３が閉じた状態で召合せ部１ａの下であって下枠４２との間に配置される風止め部材８及び規制部材９と、を有している。
【００２６】
内カバー部材４４は、室内壁部４２ａに設けられた内突起４２ｃと、下枠上面部４２ｂに設けられた内フック部４２ｄと、に係止されて設けられている。内突起４２ｃは、室内壁部４２ａの室外側の面であって下枠上面部４２ｂの僅か上にて室外側に突出させて設けられており、内フック部４２ｄは、室内壁部４２ａと内レール４ａとの間の下枠上面部４２ｂに上方に突出させて設けられている。
【００２７】
外カバー部材４５は、外レール４ｂの室内側の面であって下枠上面部４２ｂの僅か上に設けられ室内側に突出する外突起４２ｅと、内レール４ａと外レール４ｂとの間の下枠上面部４２ｂに設けられた段差部４２ｆに室外側に突出された段差突起４２ｇとに係止されている。段差部４２ｆは、室内側にて内レール４ａと繋がった室内上面部４２ｈと、室外側にて外レール４ｂと繋がり、室内上面部４２ｈよりも低い面をなす室外上面部４２ｉとが、中間壁部４２ｊにより上下に繋がって形成されている。段差突起４２ｇは、室内上面部４２ｈが、中間壁部４２ｊよりも室外側に突出することにより室外状面部４２ｇの上方に突出している。
【００２８】
風止め部材８は、可撓性を有する軟質の合成樹脂にて形成され、内レール４ａと外レール４ｂとの間に嵌め込まれる基台部８ａと、基台部８ａの上に設けられ、見込み方向に沿って立ち上がった複数のヒレ状部８ｂとを有している。ヒレ状部８ｂの先端が閉じた内障子２及び外障子３の召合せ框２４、３４の下端に接触して、召合せ框２４、３４の下における内障子２と外障子３との間の空気の流通を防止している。
【００２９】
規制部材９は、風止め部材８より硬質な合成樹脂材で形成され、上面９ａがほぼ水平面をなすブロック状の部材であり、上面９ａは、閉じた状態の内障子２及び外障子３の召合せ框２４、３４の下端と間隔が空けられて接触しないように構成されている。また、規制部材９の上面９ａは、下枠上面部４２ｂよりも高い位置に位置している。規制部材９は、風止め部材８と左右方向に並べて設けられており、風止め部材８と外カバー部材４５との間に配置され、外カバー部材４５と同様に外突起４２ｅと段差突起４２ｇとに係止されている。
【００３０】
規制部材９は、図６に示すように、内レール４ａと外レール４ｂとの間の下枠上面部４２ｂの形状に合わせて、室内上面部４２ｈ上に配置されて室外側の部位よりも薄肉の室内薄肉部９ｂと、室外上面部４２ｉ上に配置されて室内薄肉部９ｂよりも厚肉の室外厚肉部９ｃとが一体に形成されている。室外厚肉部９ｃの室外側の面の下部には、下面９ｄよりも僅かに高い位置に長手方向に沿って室外溝部９ｅが設けられている。また、室外厚肉部９ｃの室内側の面の下部には、室内側に向かって突出する下部突起９ｆが設けられている。
【００３１】
規制部材９の、下枠４２への取り付け方法は、まず、規制部材９を、室外厚肉部９ｃ側が室内薄肉部９ｂ側よりも低くなるように傾斜させて、下枠４２の内レール４ａと外レール４ｂとの間に挿入していく。このとき、下枠４２の外突起４２ｅが規制部材９の室外溝部９ｅに進入するように規制部材９を内レール４ａと外レール４ｂとの間に挿入していく。
【００３２】
次に、室外厚肉部９ｃの室外側の下縁が室外上面部４２ｉに近接し、室外厚肉部９ｃの室外側の上縁が外レール４ｂに近接した状態で、傾いている規制部材９の室内薄肉部９ｂ側が低くなるように規制部材９を回転させる。この規制部材９の回転により、下枠４２の外突起４２ｅが規制部材９の室外溝部９ｅと係合し、下枠４２の段差突起４２ｇが規制部材９の下部突起９ｆと係合して規制部材９が下枠４２に係止される。係止された規制部材９は、内レール４ａ及び外レール４ｂとほぼ隙間無く配置されている。
【００３３】
このように、規制部材９を回転させて取り付け、規制部材９を内レール４ａ及び外レール４ｂとほぼ隙間無く配置することができるように、規制部材９の上面９ａの室外側の部位には、室外側に向かって厚さが薄くなるような傾斜部９ｇが設けられ、室内薄肉部９ｂの下面９ｈの室内側の部位には、室内側に向かって厚みが薄くなるような傾斜部９ｉが設けられている。また、段差突起４２ｇと下部突起９ｆとは、係合しやすいように、下枠４２の段差突起４２ｇの上面が、室外側に向かって高さが低くなる傾斜をなし、下部突起９ｆの下面は、室内側に向かって高くなる傾斜をなしている。
【００３４】
建具１は、内障子２及び外障子３に風圧力による正圧または負圧が作用した際に、上下方向における中央部が室内側または室外側に膨らむように撓みが生じることがある。このとき発生する撓みは、枠体４の上枠４１、下枠４２、縦枠４３と長手方向に沿って係合している上框２１、３１、下框２２、３２、戸先框２３、３３よりも召合せ框２４、３４が位置する召合せ部１ａにおいてより大きく発生する。このため、正圧または負圧が作用した際には、より大きく撓みが生じる召合せ框２４、３４の下端に設けられた摺動部材２ｂ、３ｂが、障子２、３の撓みに伴って、内レール４ａ及び外レール４ｂを見込み方向に押圧する。
【００３５】
このとき、本実施形態の建具１のような規制部材９が設けられていない場合には、摺動部材２ｂ、３ｂにより押圧された内レール４ａ及び外レール４ｂは、基端となる下枠上面部４２ｂとの境界部分を中心とする曲げモーメントにより変形する。一方、本実施形態の建具１は、内レール４ａと外レール４ｂとの間に規制部材９が設けられているので、例えば、負圧により障子２、３が室外側に膨らむように反りが生じる場合には、室外側に押圧される内レール４ａは、規制部材９により室外側への変形が規制されているので、規制部材９の上面９ａより上の部位に曲げモーメントが作用する。このため、規制部材９が設けられていない場合と比較して内レール４ａに作用する曲げモーメントが小さくなるので、内レール４ａの変形及び撓んだ内障子２の室外側への変位量が小さく抑えられる。
【００３６】
また、このとき内障子２と外障子３とは、内障子延出片２４ａと外障子延出片３４ａが係合して、互いに離れる方向への移動が規制されているので、外障子３の室内側への変位量が小さく抑えられると共に外レール４ｂの変形も抑制される。
【００３７】
また、正圧により障子２、３が室内側に膨らむように反るが生じる場合には、室内側に押圧される外レール４ｂは、規制部材９により室内側への変形が規制されているので、規制部材９の上面９ａより上の部位に曲げモーメントが作用する。このため、規制部材９が設けられていない場合と比較して外レール４ｂに作用する曲げモーメントが小さくなるので、外レール４ｂの変形及撓んだ外障子３の室内側への変位量が小さく抑えられる。
【００３８】
また、このとき内障子２と外障子３とは、内障子延出片２４ａと外障子延出片３４ａが係合して、互いに離れる方向への移動が規制されているので、内障子２の室外側への変位量が小さく抑えられると共に内レール４ａの変形も抑制される。
【００３９】
このように本実施形態の建具によれば、内レール４ａと外レール４ｂとの間に当該内レール４ａと外レール４ｂの互いに対向する側への変形を規制する規制部材９が設けられているので、内レール４ａ及び外レール４ｂにより各々支持されると共に案内される各々の障子２、３に風圧力が作用して撓みが生じる場合であっても、いずれか一方のレール４ａ、４ｂの変形が規制部材９を介して他方のレール４ａ、４ｂにより規制されるので、内レール４ａと外レール４ｂの変形が抑制される。このとき、規制部材９は、内レール４ａと外レール４ｂとの間に設けられる部材なので、枠体４全体の肉厚を厚くすることにより、枠体４及び成形金型の種類が増えてしまう場合などよりも安価である。このため、コストを抑えつつもより高い耐風圧強度を備えた建具１を提供することが可能である。
【００４０】
また、規制部材９は、各障子２、３において最も撓みやすい召合せ部１ａの下であって下枠４２との間に設けられているので、召合せ部１ａにて内レール４ａと外レール４ｂの変形を抑制することにより効率良く内レール４ａと外レール４ｂの変形を抑制することが可能である。
【００４１】
さらに、規制部材９は、各障子２、３に撓みが生じた際に内レール４ａと外レール４ｂに接触する摺動部材２ｂ、３ｂの下であって下枠４２との間に設けられているので、摺動部材２ｂ、３ｂが接触して外力が作用する部位の変形を規制して、さらに効率良く内レール４ａと外レール４ｂの変形を抑制することが可能である。
【００４２】
また、内障子２及び外障子３は、内障子延出片２４ａと外障子延出片３４ａが係合して互いに離れる方向への移動が規制されているので、内障子２及び外障子３のうちの一方の障子２、３の撓みを他方の障子２、３が規制することにより２つの障子２、３の躯体に対する相対変位が抑制される。このため、内レール４ａと外レール４ｂに作用する力を軽減して内レール４ａ及び外レール４ｂの変形を抑制することが可能である。
【００４３】
また、内障子２及び外障子３の下には風止め部材８と、風止め部材８よりも硬質の材料で形成されている規制部材９とが設けられているので、可撓性を有する風止め部材８により空気の流通を防ぎ、風止め部材８より硬質な規制部材９により高い耐風圧強度を備えることが可能である。
【００４４】
上記実施形態においては、内障子と外障子の２枚の障子を備えた建具を例に挙げて説明したが、これに限らず、３枚以上の障子を備える建具であっても構わない。また、上記実施形態においては引き違い窓用の建具１を例に挙げて説明したが、これに限るものではない。たとえば、互いに隣り合う２本のレールに各々支持される２つの障子のうちの一方がスライド移動不能に固定されて、他方がスライド移動可能な、所謂片引き窓用の建具であっても構わない。このため、レールは、障子が支持されてスライド移動可能な形態を、レール自体がなしていれば、当該レールに障子がスライド移動不能に支持されていても構わない。
【００４５】
上記実施形態においては、内レール４ａと外レール４ｂとの間に規制部材９を備えている例について説明したが、これに限らず、例えば、外レール４ｂと網戸レール４ｃとの間、または、複数のレールを有している場合には、隣接する２本のレール間に設けられていれば構わない。
【００４６】
上記実施形態においては、規制部材９を合成樹脂製のブロック状の部材としたが、これに限るものではない。例えば、上面が水平でなく、湾曲したものでもよく、下側にへこんでいてもよく、上側に凸形状を有していてもよい。また、高い剛性を有し、互いに対向しレールに沿って配置される一対の壁部と一対の壁部の上端または上下方向の中間部を連結する連結部を有する、断面がコ字状またはＨ字状等の形状をなす部材であっても、隣接する２本のレール間に嵌め込まれて２本のレールが互いに対向する側への変形を規制する部材であれば構わない。また、上記実施形態においては下枠に用いるものとしたが、これに限るものではなく、上枠に実施してもよい。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建具、１ａ  召合せ部、２  内障子、２ｂ  摺動部材、３  外障子、
３ｂ  摺動部材、４ａ  内レール、４ｂ  外レール、８  風止め部材、
９  規制部材、２４ａ  内障子延出片、３４ａ  外障子延出片、４２  下枠、
【図１】
2019190054.tif 000003
【図２】
2019190054.tif 000004
【図３】
2019190054.tif 000005
【図４】
2019190054.tif 000006
【図５】
2019190054.tif 000007
【図６】
2019190054.tif 000008